(57)【要約】【課題】維持管理のためのランニングコストを安くできるようにする。【解決手段】感光体ドラム５を組み込んであるドラムユニット６を、感光体ドラムを用紙搬送路８に臨ませて、装置本体４に対して装脱自在に設けると共に、用紙搬送路を挟んで感光体ドラムに対向する位置に転写装置を配置して、感光体ドラムに形成されたトナー画像を用紙搬送路に沿って搬送中の用紙に転写可能に構成し、感光体ドラムと転写装置とを遠近方向に相対移動させることにより、用紙搬送路を装置外部に向けて開閉操作自在な開閉機構１１を設け、開閉機構による開き操作で用紙搬送路を開いた時に、感光体ドラムの用紙搬送路に臨む部分を被覆可能なドラムカバー１３を設けてある画像形成装置であって、ドラムカバーを、ドラムユニットとは別に、装置本体側に設けてある。【選択図】図３
2007127779.tif 000002
【特許請求の範囲】
【請求項１】
感光体ドラムを組み込んであるドラムユニットを、前記感光体ドラムを用紙搬送路に臨ませて、装置本体に対して装脱自在に設けると共に、前記用紙搬送路を挟んで前記感光体ドラムに対向する位置に転写装置を配置して、前記感光体ドラムに形成されたトナー画像を前記用紙搬送路に沿って搬送中の用紙に転写可能に構成し、
前記感光体ドラムと前記転写装置とを遠近方向に相対移動させることにより、前記用紙搬送路を装置外部に向けて開閉操作自在な開閉機構を設け、
前記開閉機構による開き操作で前記用紙搬送路を開いた時に、前記感光体ドラムの前記用紙搬送路に臨む部分を被覆可能なドラムカバーを設けてある画像形成装置であって、
前記ドラムカバーを、前記ドラムユニットとは別に、装置本体側に設けてある画像形成装置。
【請求項２】
前記開閉機構による前記用紙搬送路の開き操作に連動して、前記ドラムカバーを前記感光体ドラムの前記用紙搬送路に臨む部分を被覆する被覆位置に移動させる連動機構を設けてある請求項１記載の画像形成装置。
【請求項３】
前記ドラムカバーを、前記用紙搬送路を形成する搬送ガイド部材で構成して、前記用紙搬送路に臨むガイド位置と、前記被覆位置とに亘って移動自在に設け、
前記連動機構を、前記開閉機構による前記用紙搬送路の閉じ操作に連動して、前記ドラムカバーを前記被覆位置から前記ガイド位置に移動させるように構成してある請求項２記載の画像形成装置。
【発明の詳細な説明】
【技術分野】
【０００１】
本発明は、感光体ドラムを組み込んであるドラムユニットを、前記感光体ドラムを用紙搬送路に臨ませて、装置本体に対して装脱自在に設けると共に、前記用紙搬送路を挟んで前記感光体ドラムに対向する位置に転写装置を配置して、前記感光体ドラムに形成されたトナー画像を前記用紙搬送路に沿って搬送中の用紙に転写可能に構成し、前記感光体ドラムと前記転写装置とを遠近方向に相対移動させることにより、前記用紙搬送路を装置外部に向けて開閉操作自在な開閉機構を設け、前記開閉機構による開き操作で前記用紙搬送路を開いた時に、前記感光体ドラムの前記用紙搬送路に臨む部分を被覆可能なドラムカバーを設けてある画像形成装置に関する。
【背景技術】
【０００２】
上記画像形成装置は、用紙搬送路を挟んで互いに対向する感光体ドラムと転写装置とを遠近方向に相対移動させることにより、用紙搬送路を装置外部に向けて開閉操作自在な開閉機構を設けて、用紙搬送路において紙詰まりなどのトラブルが発生したような場合には、開閉機構による開き操作で用紙搬送路を装置外部に向けて開いて、トラブルを簡便に解消できるように構成してある。
そして、用紙搬送路を装置外部に向けて開くと、感光体ドラムの用紙搬送路に臨む部分が装置外部に向けて露出されて、手指などの他物と接触するおそれがあるので、開閉機構による開き操作で用紙搬送路を開いた時に、感光体ドラムの用紙搬送路に臨む部分を被覆可能なドラムカバーを設けてある。
従来の画像形成装置では、感光体ドラムを組み込んであるドラムユニットにドラムカバーを設けて、ドラムユニットをドラムカバーごと装置本体に対して装脱自在に設けてある（例えば、特許文献１参照）。
【０００３】
【特許文献１】特開平７−２３０１９７号公報
【発明の開示】
【発明が解決しようとする課題】
【０００４】
このため、感光体ドラムをドラムユニットごと交換する必要があるような場合は、ドラムユニットに設けてあるドラムカバーも同時に交換することになり、維持管理のためのランニングコストが高く付く欠点がある。
本発明は上記実情に鑑みてなされたものであって、維持管理のためのランニングコストを安くできるようにすることを目的とする。
【課題を解決するための手段】
【０００５】
本発明の第１特徴構成は、感光体ドラムを組み込んであるドラムユニットを、前記感光体ドラムを用紙搬送路に臨ませて、装置本体に対して装脱自在に設けると共に、前記用紙搬送路を挟んで前記感光体ドラムに対向する位置に転写装置を配置して、前記感光体ドラムに形成されたトナー画像を前記用紙搬送路に沿って搬送中の用紙に転写可能に構成し、前記感光体ドラムと前記転写装置とを遠近方向に相対移動させることにより、前記用紙搬送路を装置外部に向けて開閉操作自在な開閉機構を設け、前記開閉機構による開き操作で前記用紙搬送路を開いた時に、前記感光体ドラムの前記用紙搬送路に臨む部分を被覆可能なドラムカバーを設けてある画像形成装置であって、前記ドラムカバーを、前記ドラムユニットとは別に、装置本体側に設けてある点にある。
【０００６】
〔作用及び効果〕
ドラムカバーを、ドラムユニットとは別に、装置本体側に設けてあるので、感光体ドラムをドラムユニットごと交換する必要があるような場合でも、ドラムカバーを同時に交換するような必要が特になく、維持管理のためのランニングコストを安くできる。
【０００７】
本発明の第２特徴構成は、前記開閉機構による前記用紙搬送路の開き操作に連動して、前記ドラムカバーを前記感光体ドラムの前記用紙搬送路に臨む部分を被覆する被覆位置に移動させる連動機構を設けてある点にある。
【０００８】
〔作用及び効果〕
開閉機構による用紙搬送路の開き操作に連動して、ドラムカバーを感光体ドラムの用紙搬送路に臨む部分を被覆する被覆位置に移動させる連動機構を設けてあるので、用紙搬送路を開くときに、開閉機構によって用紙搬送路を開き操作している操作者が特に意識することなく、ドラムカバーを被覆位置にタイミング良く移動させることができる。
【０００９】
本発明の第３特徴構成は、前記ドラムカバーを、前記用紙搬送路を形成する搬送ガイド部材で構成して、前記用紙搬送路に臨むガイド位置と、前記被覆位置とに亘って移動自在に設け、前記連動機構を、前記開閉機構による前記用紙搬送路の閉じ操作に連動して、前記ドラムカバーを前記被覆位置から前記ガイド位置に移動させるように構成してある点にある。
【００１０】
〔作用及び効果〕
ドラムカバーを、用紙搬送路を形成する搬送ガイド部材で構成して、用紙搬送路に臨むガイド位置と、被覆位置とに亘って移動自在に設けてあるので、部品点数を減らすことができる。
また、開閉機構による用紙搬送路の開き操作に連動してドラムカバーを被覆位置に移動させる連動機構を、開閉機構による用紙搬送路の閉じ操作に連動して、ドラムカバーを被覆位置からガイド位置に移動させるように構成してあるので、用紙搬送路を閉じるときに、開閉機構によって用紙搬送路を閉じ操作している操作者が特に意識することなく、ドラムカバーを被覆位置からガイド位置にタイミング良く移動させることができる。
【発明を実施するための最良の形態】
【００１１】
以下に本発明の実施の形態を図面に基づいて説明する。
図１〜５は、複写機やプリンター，ファックスなどの本発明による電子写真式画像形成装置の要部を示し、図１，図２に示すように、給紙トレイ１と、給紙トレイ１の用紙を搬送する搬送機構を備えた搬送ユニット２と、搬送ユニット２によって搬送される用紙の搬送方向を案内するガイドユニット３などを備えた装置本体４に、感光体ドラム５を組み込んであるドラムユニット６を挿脱自在に設けてある。
【００１２】
前記ドラムユニット６は、装置本体４に設けてある枠体７に、ドラム軸芯方向に沿って略水平に挿脱自在に収容してある。
【００１３】
そして、ガイドユニット３と、搬送ユニット２及びドラムユニット６との間に用紙搬送路８を形成して、その用紙搬送路８に感光体ドラム５の周面を臨ませてドラムユニット６を装着し、用紙搬送路８を挟んで感光体ドラム５に対向する位置に、転写ローラ９などを備えた転写装置１０を配置して、感光体ドラム５に形成されたトナー画像を用紙搬送路８に沿って搬送中の用紙に転写可能に構成してある。
【００１４】
前記転写装置１０はガイドユニット３に一体に取り付けてあり、感光体ドラム５と転写装置１０とを遠近方向に相対移動させることにより、用紙搬送路８を装置外部に向けて開閉操作自在な開閉機構１１を設けてある。
【００１５】
前記開閉機構１１は、装置本体４の外周部を囲んでいる外装パネル１２の下部と、ガイドユニット３の下部とを、横軸芯Ｘ１周りで一体に揺動自在に支持して、転写装置１０を感光体ドラム５に対して遠近方向に移動自在に設け、外装パネル１２の揺動による開閉操作で、用紙搬送路８を装置外部に向けて開閉操作自在に構成してある。
【００１６】
つまり、図２に示すように、外装パネル１２を装置外方に揺動させて装置内部を開いたときに、ガイドユニット３も装置外方に揺動して、用紙搬送路８が装置外部に向けて開き、図１に示すように、外装パネル１２を装置内方に揺動させて装置内部を閉じたときに、ガイドユニット３も装置内方に揺動して、用紙搬送路８が閉じられるように構成してある。
【００１７】
そして、開閉機構１１による開き操作で用紙搬送路８を開いた時に、感光体ドラム５の用紙搬送路８に臨む部分を略全幅に亘って被覆可能なドラムカバー１３を、ドラムユニット６とは別に、装置本体４側に設けてある。
【００１８】
前記ドラムカバー１３は、図１に示すように、用紙搬送路８を閉じてある通常時に、感光体ドラム５よりも下流側の用紙搬送路８ａを形成する搬送ガイド部材１４で構成してあり、図３，図４に示すように、ドラムユニット６を収容している枠体７のドラム長手方向両側にアーム部材１５を横軸芯Ｘ２周りで上下揺動自在に支持し、そのアーム部材１５の遊端側に、ドラムカバー１３の上部を、横軸芯Ｘ２と略平行な横軸芯Ｘ３周りで相対揺動自在に支持して、アーム部材１５の上下揺動で、用紙搬送路８に臨むガイド位置と、感光体ドラム５の用紙搬送路８に臨む部分を被覆する被覆位置とに亘って移動自在に設けてある。
【００１９】
前記開閉機構１１による用紙搬送路８の開き操作に連動して、ドラムカバー１３を被覆位置に移動させ、開閉機構１１による用紙搬送路８の閉じ操作に連動して、ドラムカバー１３を被覆位置からガイド位置に移動させる連動機構１６を設けてある
【００２０】
前記連動機構１６は、図３〜図５に示すように、ドラムカバー１３の上端部を、帯状ストラップ１７と引っ張りコイルスプリング１８とを介して、装置本体４に連結するとともに、ドラムカバー１３と外装パネル１２とをリンク部材１９で連結して構成してある。
【００２１】
そして、図２に示すように、開閉機構１１による用紙搬送路８の開き操作、つまり、外装パネル１２の開き操作で、リンク部材１９を介して、アーム部材１５をコイルスプリング１８の付勢力に抗して下向きに揺動させて、図３〜図５に示すように、ドラムカバー１３を被覆位置に移動させ、開閉機構１１による用紙搬送路８の閉じ操作、つまり、外装パネル１２の閉じ操作で、アーム部材１５をコイルスプリング１８の付勢力で上向きに復帰揺動させて、図１に示すように、ドラムカバー１３を用紙搬送路８に臨むガイド位置に移動させるように構成してある。
【００２２】
〔その他の実施形態〕
１．本発明による画像形成装置は、ドラムカバーを、用紙搬送路を閉じたときに、その用紙搬送路から引退するように設けてあっても良い。
２．本発明による画像形成装置は、ドラムカバーを手で掴んで被覆位置に移動可能に設けてあっても良い。
３．本発明による画像形成装置は、揺動開閉自在な外装パネル側にドラムカバーを設けてあっても良い。
４．本発明による画像形成装置は、揺動開閉自在な外装パネルに転写装置を直に取り付けて、外装パネルの開閉操作で用紙搬送路を装置外部に向けて開閉操作自在な開閉機構を設けてあっても良い。
【図面の簡単な説明】
【００２３】
【図１】画像形成装置の要部を示す縦断面図
【図２】画像形成装置の要部を示す縦断面図
【図３】画像形成装置の要部を示す斜視図
【図４】画像形成装置の要部を示す拡大斜視図
【図５】画像形成装置の要部を示す斜視図
【符号の説明】
【００２４】
４  装置本体
５  感光体ドラム
６  ドラムユニット
８  用紙搬送路
１０  転写装置
１１  開閉機構
１３  ドラムカバー
１４  搬送ガイド部材
１６  連動機構
【図１】
2007127779.tif 000003
【図２】
2007127779.tif 000004
【図３】
2007127779.tif 000005
【図４】
2007127779.tif 000006
【図５】
2007127779.tif 000007